(57)【要約】【課題】  搬送ローラ対に対する感光材料のコーティング材の堆積量を少なくし、該付着物が大判の感光材料に転写されるのを抑制して画像の品質低下を防止することができる現像処理装置を提供する。【解決手段】  現像処理液を貯留した現像処理液槽と、現像処理液にシート状の感光材料を浸漬して引き上げるように、大判及び小判の感光材料を搬送する搬送系とを備え、搬送系は、現像処理液中で感光材料を搬送する液中搬送系と、現像処理液から引き上げた感光材料を再度現像処理液に浸漬させる外部搬送系とで構成され、外部搬送系は、感光材料を圧着搬送する搬送ローラ対を備え、小判の感光材料が大判の感光材料の搬送軌道内で搬送されるように構成された現像処理装置において、現像処理液に浸漬する前に、搬送中の小判の感光材料を面方向に姿勢変更させる姿勢変更手段を備えてなることを特徴とする。【選択図】図３
2005338692.tif 000002
【特許請求の範囲】
【請求項１】
現像処理液を貯留した現像処理液槽と、該現像処理液槽内の現像処理液にシート状の感光材料を浸漬して引き上げる動作を複数回行うように、大判及び小判の感光材料を搬送する搬送系とを備え、該搬送系は、上流側から搬送されてくる感光材料を現像処理液に浸漬させるべく、感光材料の搬送方向を切り換える外部搬送系と、該外部搬送系から搬送されてくる感光材料を現像処理液中で搬送する液中搬送系とで構成され、外部搬送系は、感光材料を圧着搬送する搬送ローラ対を備え、小判の感光材料が大判の感光材料の搬送軌道内で搬送されるように構成された現像処理装置において、現像処理液に浸漬する前に、搬送中の小判の感光材料を面方向に姿勢変更させる姿勢変更手段を備えてなることを特徴とする現像処理装置。
【請求項２】
外部搬送系の搬送ローラは、搬送方向と直交する方向における小判の感光材料の何れか一端側に圧着力を集中的に作用させるように形状設定され、該搬送ローラで前記姿勢変更手段が構成されてなる請求項１記載の現像処理装置。
【請求項３】
前記搬送系は、小判の感光材料を二枚並列にして搬送可能に構成され、外部搬送系の搬送ローラは、中央部から両端に向けて外径が縮径して太鼓状に形成されてなる請求項２記載の現像処理装置。
【請求項４】
前記搬送系は、小判の感光材料を二枚並列にして搬送可能に構成され、外部搬送系の搬送ローラは、中央部から両端に向けて外径が拡径して鼓状に形成されてなる請求項２記載の現像処理装置。
【請求項５】
シート状をなす大判及び小判の感光材料に露光処理を施す露光処理部と、該露光処理部で露光処理された感光材料に現像処理を施す現像処理部とを備え、前記露光処理部は、各感光材料を現像処理部に向けて搬送する第一搬送系を備え、前記現像処理部は、現像処理液を貯留した現像処理液槽と、該現像処理液槽内の現像処理液に感光材料を浸漬して引き上げる動作を複数回行うように、前記感光材料を搬送する第二搬送系とを備えてなり、該第二搬送系は、上流側から搬送されてくる感光材料を現像処理液に浸漬させるべく、該感光材料の搬送方向を切り換える外部搬送系と、該外部搬送系から搬送されてきた感光材料を現像処理液中で搬送する液中搬送系とで構成され、外部搬送系は、感光材料を圧着搬送する搬送ローラ対を備え、小判の感光材料が大判の感光材料の搬送軌道内で搬送されるように構成された写真処理装置において、現像処理液に浸漬する前に、搬送中の小判の感光材料を面方向に姿勢変更させる姿勢変更手段を備えてなることを特徴とする写真処理装置。
【請求項６】
第一搬送系は、感光材料を圧着搬送する搬送ローラ対を備えてなり、該第一搬送系及び外部搬送系の少なくとも何れか一方の搬送ローラは、搬送方向と直交する方向における小判の感光材料の何れか一端側に圧着力を集中的に作用させるように形状設定され、該搬送ローラで前記姿勢変更手段が構成されてなる請求項５記載の写真処理装置。
【請求項７】
前記第一搬送系及び第二搬送系は、小判の感光材料を二枚並列にして搬送可能に構成され、前記搬送ローラは、中央部から両端に向けて外径が縮径して太鼓状に形成されてなる請求項６記載の写真処理装置。
【請求項８】
前記第一搬送系及び第二搬送系は、小判の感光材料を二枚並列にして搬送可能に構成され、前記搬送ローラは、中央部から両端に向けて外径が拡径して鼓状に形成されてなる請求項６記載の写真処理装置。
【発明の詳細な説明】
【技術分野】
【０００１】
本発明は、露光処理されたシート状の感光材料を現像処理するための現像処理装置、及び該現像処理装置を備えた写真処理装置に関する。より詳しくは、現像処理液を貯留した現像処理液層を備え、該現像処理液層中の現像処理液に対して、感光材料を浸漬して引き上げる動作を複数回行うように感光材料を搬送する搬送系を備え、該搬送系が、現像処理液中で感光材料を搬送する液中搬送系と、引き上げた感光材料を現像処理液に再度浸漬するように、感光材料を搬送する外部搬送系とで構成された現像処理装置、及び該現像処理装置を備えた写真処理装置に関する。
【背景技術】
【０００２】
従来から、シート状の感光材料に露光処理を施す露光処理装置と、露光処理された感光材料に現像処理を施す現像処理装置とを備えた写真処理装置や、予め露光処理されたシート状の感光材料に現像処理を施す現像処理装置が周知である。かかる現像処理装置は、現像処理液を貯留した現像処理液槽と、該現像処理液槽内の現像処理液に対して感光材料を浸漬して引き上げる動作を複数回行うように、感光材料を搬送する搬送系とを備えている。
【０００３】
前記現像処理液槽は、異なる種類の現像処理液（現像液、漂白液、定着液、安定液等）を貯留して横並びに配設された複数の液槽で構成されている。
【０００４】
前記搬送系は、各液槽の現像処理液に感光材料を浸漬した状態で、該感光材料を搬送する液中搬送系と、液槽の現像処理液から引き上げられた感光材料を隣接する液槽に向けて搬送方向を切り換える外部搬送系とで構成されている。
【０００５】
外部搬送系は、感光材料を圧着搬送する真円柱状の搬送ローラ対を備えており、複数の搬送ローラ対を感光材料の搬送軌道に対応して適宜配置したものや、複数の搬送ローラ対間に感光材料を案内するガイド板が配設されたもの等がある。各搬送ローラは、圧着時に感光材料を傷めないよう、外周面（表層）に弾性材（例えば、シリコンゴムやウレタンゴム）が装着されている。
【０００６】
これにより、液中搬送系によって搬送されてきた感光材料は、乳剤面を傷めることなく移動方向を切り替えつつ、外部搬送系の搬送ローラ対によって隣接する液槽の現像処理液中に再度浸漬される。
【０００７】
現像処理装置は、液中搬送系及び外部搬送系によって、各液槽の現像処理液に対して感光材料を浸漬して引き上げるといった動作を複数回繰り返し、該感光材料に対する現像処理、漂白処理、定着処理、安定処理を連続的にできるようになっている。
【０００８】
また、該現像処理装置は、大判の感光材料、及び小判の感光材料に対してプリント処理できるように構成されており、何れの感光材料においても両端縁が搬送方向に沿った姿勢で搬送するように構成されており、小判の感光材料に対してプリント処理する場合には、大判の感光材料が通過する搬送軌道（領域）内で小判の感光材料を圧着搬送しつつプリント処理を行うようになっている。
【発明の開示】
【発明が解決しようとする課題】
【０００９】
ところで、大量処理が望まれる昨今において、感光材料に対するプリント処理や、プリント処理された感光材料（写真）の管理を行うべく、プリント処理を行う前に感光材料の乳剤面の裏面（ベース面）に、数字や記号等による識別子を印字するようにしている。この識別子のプリント（印字）は、現像処理前に行われるため、感光材料を現像処理液に浸漬したときに印字が滲んだり、消えたりすることのないように、感光材料のベース面に、印字用インクの付着性を向上させるためのコーティングが施されている。
【００１０】
感光材料のベース面に対するコーティングの材質は、各社メーカー或いは感光材料の種類によって異なっており、感光材料によっては、現像処理液に浸漬することでコーティング材が軟化乃至溶出してしまうものがある。即ち、現像処理液は、現像液がアルカリ性であり、漂白液、及び安定液が酸性であるため、コーティング材に耐アルカリ性、或いは耐酸性のない樹脂等が採用されている場合には、現像処理液の浸漬によってコーティング材が軟化乃至溶出する場合があった。
【００１１】
その為、現像処理液から引き上げた感光材料を外部搬送系の搬送ローラ対で圧着搬送したときに、コーティング材が感光材料の搬送方向に沿うように（感光材料の端縁に沿うように）、搬送ローラの外周面に対して線状をなして付着乃至堆積してしまう場合がある。
【００１２】
そうすると、上述の如く、従来の現像処理装置は、小判の感光材料が大判の感光材料の通過する領域内で搬送されるようになっているため、大判の感光材料を外部搬送系で搬送する際に、小判の感光材料の圧着搬送によって付着して堆積した線状の堆積物（コーティング材）が、大判の感光材料の画像に対して線状に転写（付着）されてしまい、該感光材料の画像の品質を低下させるといった問題があった。特に、夜景等の背景が黒色の画像が形成されている場合には、コーティング材の付着が顕著に表れてしまう。また、液中搬送系をローラ対で構成した場合、外部搬送系の搬送ローラほどではないが、やはりローラ対の外周面にコーティング材が付着してしまい、小判の感光材料の通過に伴う付着物が大判の感光材料に転写されるといった問題がある。
【００１３】
そこで、本発明は、斯かる実情に鑑み、搬送ローラ対に対する感光材料のコーティング材の堆積量を少なくし、該付着物が大判の感光材料に転写されるのを抑制して画像の品質低下を防止することができる現像処理装置、及び写真処理装置を提供することを課題とする。
【課題を解決するための手段】
【００１４】
本発明に係る現像処理装置は、現像処理液を貯留した現像処理液槽と、該現像処理液槽内の現像処理液にシート状の感光材料を浸漬して引き上げる動作を複数回行うように、大判及び小判の感光材料を搬送する搬送系とを備え、該搬送系は、上流側から搬送されてくる感光材料を現像処理液に浸漬させるべく、感光材料の搬送方向を切り換える外部搬送系と、該外部搬送系から搬送されてくる感光材料を現像処理液中で搬送する液中搬送系とで構成され、外部搬送系は、感光材料を圧着搬送する搬送ローラ対を備え、小判の感光材料が大判の感光材料の搬送軌道内で搬送されるように構成された現像処理装置において、現像処理液に浸漬する前に、搬送中の小判の感光材料を面方向に姿勢変更させる姿勢変更手段を備えてなることを特徴とする。
【００１５】
上記構成の現像処理装置によれば、現像処理液に浸漬する前に、搬送中の小判の感光材料を面方向に姿勢変更させる姿勢変更手段を備えているので、外部搬送系及び液中搬送系で搬送されるに際し、感光材料の搬送方向と直交方向の端縁が搬送方向に対して傾斜した姿勢をとることになり、感光材料を複数枚処理しても、現像処理液に浸漬した以降で感光材料を搬送する搬送系（下流側の外部搬送系や、液中搬送系）の搬送ローラの外周面に対し、各感光材料の端縁が常に同一軌跡をとらないことになる。これにより、複数枚の感光材料の現像処理を行っても、搬送ローラの外周面に対して周方向で且つ線状にコーティング材が付着して堆積することがない。即ち、先行する感光材料と、該感光材料に対して後続の感光材料との搬送ローラに対する接触位置（接触領域）が同一にならないため、感光材料のコーティング材が該感光材料の端縁に沿って搬送ローラの外周面に付着乃至堆積付着したとしても同一線状に堆積することがなく、帯状の領域内に付着することになる。
【００１６】
これにより、搬送ローラの外周面に対するコーティング材の付着密度が小さくなる（単位面積当たりの付着量が少なくなる）ので、大判の感光材料へのコーティング材の転写を抑制することができ、感光材料に形成された画像の品質を低下させるのを防止することができる。
【００１７】
本発明に係る現像処理装置の一態様として、外部搬送系の搬送ローラは、搬送方向と直交する方向における小判の感光材料の何れか一端側に圧着力を集中的に作用させるように形状設定され、該搬送ローラで前記姿勢変更手段が構成されてもよい。
【００１８】
このようにすれば、外部搬送系の搬送ローラで小判の感光材料を搬送した際に、搬送方向と直交する方向における感光材料の何れか一端側に圧着力が集中的に作用し、各感光材料は、搬送方向に対して徐々に傾きつつ下流側に搬送されることになる。即ち、小判の印画紙に対して偏荷重的な圧着作用が生じることになり、該感光材料は、姿勢を傾けつつ下流側に搬送され、現像処理液に浸漬されるときには、上流側での姿勢に対して変更した姿勢で搬送されることになる。
【００１９】
従って、感光材料の搬送方向と直交方向の端縁が搬送ローラの軸心に対して傾斜した軌跡をとることになり、感光材料を複数枚処理しても各感光材料の端縁が搬送系を構成する搬送ローラの外周面上において常に同一軌跡をとらないことになる。これにより、複数枚の感光材料の現像処理を行っても、各搬送ローラの外周面に対して周方向で且つ線状にコーティング材が付着して堆積することがない。即ち、先行する感光材料と、該感光材料に対して後続の感光材料との搬送ローラに対する接触位置（接触領域）が同一にならないため、感光材料のコーティング材が該感光材料の端縁に沿って搬送ローラの外周面に付着乃至堆積付着したとしても同一線状に堆積することがなく、帯状の領域内に付着することになる。
【００２０】
これにより、搬送ローラの外周面に対するコーティング材の付着密度が小さくなる（単位面積当たりの付着量が少なくなる）ので、大判の感光材料へのコーティング材の転写を抑制することができ、感光材料に形成された画像の品質を低下させるのを防止することができる。
【００２１】
この場合の一態様として、前記搬送系は、小判の感光材料を二枚並列にして搬送可能に構成され、外部搬送系の搬送ローラは、中央部から両端に向けて外径が縮径して太鼓状に形成されてもよい。このようにすれば、搬送ローラ対の略中央部に圧着力が集中的に作用することになり、小判の感光材料を二枚並列で搬送した際に、隣り合う各感光材料の端部（搬送ローラの中央部側に位置する各感光材料の端部）に圧着力が偏荷重として作用して各感光材料の姿勢を変更することができる。
【００２２】
従って、搬送ローラを太鼓状にするといった簡易な構成で、感光材料の姿勢を変更することができ、大判の感光材料に対するコーティング材の付着（堆積量）を少なくして該感光材料の画像の品質低下を防止することができる。
【００２３】
また、他の態様として、前記搬送系は、小判の感光材料を二枚並列にして搬送可能に構成され、外部搬送系の搬送ローラは、中央部から両端に向けて外径が拡径して鼓状に形成されてもよい。このようにすれば、搬送ローラ対の両端部に圧着力が集中的に作用することになり、小判の感光材料を二枚並列で搬送した際に、横並びした各感光材料の外側の端部（搬送ローラの両端部側に位置する各感光材料の端部）に圧着力が偏荷重として作用して各感光材料の姿勢を変更することができる。
【００２４】
従って、搬送ローラを鼓状にするといった簡易な構成で、感光材料の姿勢を変更することができ、大判の感光材料に対するコーティング材の付着（堆積量）を少なくして該感光材料の画像の品質低下を防止することができる。
【００２５】
本発明に係る写真処理装置は、シート状をなす大判及び小判の感光材料に露光処理を施す露光処理部と、該露光処理部で露光処理された感光材料に現像処理を施す現像処理部とを備え、前記露光処理部は、各感光材料を現像処理部に向けて搬送する第一搬送系を備え、前記現像処理部は、現像処理液を貯留した現像処理液槽と、該現像処理液槽内の現像処理液に感光材料を浸漬して引き上げる動作を複数回行うように、前記感光材料を搬送する第二搬送系とを備えてなり、該第二搬送系は、上流側から搬送されてくる感光材料を現像処理液に浸漬させるべく、該感光材料の搬送方向を切り換える外部搬送系と、該外部搬送系から搬送されてきた感光材料を現像処理液中で搬送する液中搬送系とで構成され、外部搬送系は、感光材料を圧着搬送する搬送ローラ対を備え、小判の感光材料が大判の感光材料の搬送軌道内で搬送されるように構成された写真処理装置において、現像処理液に浸漬する前に、搬送中の小判の感光材料を面方向に姿勢変更させる姿勢変更手段を備えてなることを特徴とする。
【００２６】
上記構成の写真処理装置によれば、現像処理液に浸漬する前に、搬送中の小判の感光材料を面方向に姿勢変更させる姿勢変更手段を備えているので、外部搬送系及び液中搬送系で搬送されるに際し、感光材料の搬送方向と直交方向の端縁が搬送方向に対して傾斜した姿勢をとることになり、感光材料を複数枚処理しても、現像処理液に浸漬した以降で感光材料を搬送する搬送系（下流側の外部搬送系や、液中搬送系）の搬送ローラの外周面に対し、各感光材料の端縁が常に同一軌跡をとらないことになる。これにより、複数枚の感光材料の現像処理を行っても、搬送ローラの外周面に対して周方向で且つ線状にコーティング材が付着して堆積することがない。即ち、先行する感光材料と、該感光材料に対して後続の感光材料との搬送ローラに対する接触位置（接触領域）が同一にならないため、感光材料のコーティング材が該感光材料の端縁に沿って搬送ローラの外周面に付着乃至堆積付着したとしても同一線状に堆積することがなく、帯状の領域内に付着することになる。
【００２７】
これにより、搬送ローラの外周面に対するコーティング材の付着密度が小さくなる（単位面積当たりの付着量が少なくなる）ので、大判の感光材料へのコーティング材の転写を抑制することができ、感光材料に形成された画像の品質を低下させるのを防止することができる。
【００２８】
本発明に係る写真処理装置の一態様として、第一搬送系は、感光材料を圧着搬送する搬送ローラ対を備えてなり、該第一搬送系及び外部搬送系の少なくとも何れか一方の搬送ローラは、搬送方向と直交する方向における小判の感光材料の何れか一端側に圧着力を集中的に作用させるように形状設定され、該搬送ローラで前記姿勢変更手段が構成されてもよい。
【００２９】
このようにすれば、第一搬送系及び外部搬送系の少なくとも何れか一方の搬送ローラで小判の感光材料を搬送した際に、搬送方向と直交する方向における感光材料の何れか一端側に圧着力が集中的に作用し、各感光材料は、搬送方向に対して徐々に傾きつつ下流側に搬送されることになる。即ち、小判の印画紙に対して偏荷重的な圧着作用が生じることになり、該感光材料は、姿勢を傾けつつ下流側に搬送され、現像処理液に浸漬されるときには、上流側での姿勢に対して変更した姿勢で搬送されることになる。
【００３０】
従って、感光材料の搬送方向と直交方向の端縁が搬送ローラの軸心に対して傾斜した軌跡をとることになり、感光材料を複数枚処理しても各感光材料の端縁が搬送系を構成する搬送ローラの外周面上において常に同一軌跡をとらないことになる。これにより、複数枚の感光材料の現像処理を行っても、各搬送ローラの外周面に対して周方向で且つ線状にコーティング材が付着して堆積することがない。即ち、先行する感光材料と、該感光材料に対して後続の感光材料との搬送ローラに対する接触位置（接触領域）が同一にならないため、感光材料のコーティング材が該感光材料の端縁に沿って搬送ローラの外周面に付着乃至堆積付着したとしても同一線状に堆積することがなく、帯状の領域内に付着することになる。
【００３１】
これにより、搬送ローラの外周面に対するコーティング材の付着密度が小さくなる（単位面積当たりの付着量が少なくなる）ので、大判の感光材料へのコーティング材の転写を抑制することができ、感光材料に形成された画像の品質を低下させるのを防止することができる。
【００３２】
この場合の一態様として、前記搬送系は、小判の感光材料を二枚並列にして搬送可能に構成され、外部搬送系の搬送ローラは、中央部から両端に向けて外径が縮径して太鼓状に形成されてもよい。このようにすれば、搬送ローラ対の略中央部に圧着力が集中的に作用することになり、小判の感光材料を二枚並列で搬送した際に、隣り合う各感光材料の端部（搬送ローラの中央部側に位置する各感光材料の端部）に圧着力が偏荷重として作用して各感光材料の姿勢を変更することができる。
【００３３】
従って、搬送ローラを太鼓状にするといった簡易な構成で、感光材料の姿勢を変更することができ、大判の感光材料に対するコーティング材の付着（堆積量）を少なくして該感光材料の画像の品質低下を防止することができる。
【００３４】
また、他の態様として、前記搬送系は、小判の感光材料を二枚並列にして搬送可能に構成され、外部搬送系の搬送ローラは、中央部から両端に向けて外径が拡径して鼓状に形成されてもよい。このようにすれば、搬送ローラ対の両端部に圧着力が集中的に作用することになり、小判の感光材料を二枚並列で搬送した際に、横並びした各感光材料の外側の端部（搬送ローラの両端部側に位置する各感光材料の端部）に圧着力が偏荷重として作用して各感光材料の姿勢を変更することができる。
【００３５】
従って、搬送ローラを鼓状にするといった簡易な構成で、感光材料の姿勢を変更することができ、大判の感光材料に対するコーティング材の付着（堆積量）を少なくして該感光材料の画像の品質低下を防止することができる。
【発明の効果】
【００３６】
以上のように、本発明の現像処理装置によれば、搬送ローラ対に対する感光材料のコーティング材の堆積量を少なくし、該付着物が大判の感光材料に転写されるのを抑制して画像の品質低下を防止することができる。
【００３７】
また、本発明の写真処理装置によれば、搬送ローラ対に対する感光材料のコーティング材の堆積量を少なくし、該付着物が大判の感光材料に転写されるのを抑制して画像の品質低下を防止することができる。
【発明を実施するための最良の形態】
【００３８】
以下、本発明の一実施形態に係る写真処理装置について、添付図面を参照して説明する。
【００３９】
本実施形態に係る写真処理装置は、図１に示す如く、該写真処理装置の操作を行う操作部１と、印画紙Ｐ（感光材料）に露光処理を施す露光処理部２（露光処理装置）と、該露光処理部２で露光処理された印画紙Ｐを現像処理する現像処理部３（現像処理装置）と、該現像処理部３で現像処理された印画紙Ｐを乾燥処理する乾燥処理部４（乾燥装置）と、該乾燥処理部４で乾燥した印画紙Ｐをオーダー、及びサイズ毎に仕分けて回収する回収部５とで構成されている。
【００４０】
前記操作部１は、図２に示す如く、各処理の処理状況や操作案内等を表示するモニター１０と、該モニター１０の表示に基づいて入力操作を行うための入力装置１１と、ＣＤ−Ｒ／ＲＷやメモリーカード等のメディアＭ（図１参照）から画像データを読み込む読込装置１２と、写真フィルムに形成された駒画像を読み込むスキャナー装置１３と、入力装置１１からの入力データ、読込装置１２やスキャナー装置１３で読み込んだ画像データ等を適宜演算処理し、露光処理部２の動作等を制御する演算処理装置（ＣＰＵ１４０、ＲＯＭ１４１、ＲＡＭ１４２等）がマウントされた制御基板を内装したコンピュータ本体１４とを備えている。
【００４１】
前記モニター１０には、ブラウン管モニター或いは液晶モニターが採用され、本実施形態においてはブラウン管モニターが採用されている。前記入力装置１１には、キーボード１１０、及びマウス１１１が採用されている。本実施形態において、前記モニター１０、入力装置１１（キーボード１１０、マウス１１１）、読込装置１２、及びスキャナー装置１３は、Ｉ／Ｏインターフェイス１４３を介して前記コンピュータ本体１４（ＣＰＵ１４０）に接続されている。
【００４２】
前記露光処理部２は、ロール状にされた長尺な印画紙Ｐを収納する一対のマガジン２０ａ，２０ｂと、該マガジン２０ａ，２０ｂから引き出された印画紙Ｐを所定の長さで切断する切断装置２１と、該切断装置２１により切断された印画紙Ｐを下流に向けて搬送する搬送装置２２と、該搬送装置２２により搬送されてきた印画紙Ｐを露光処理する露光装置２３とで構成されている。また、該露光処理部２は、マガジン２０ａ，２０ｂから引き出された印画紙Ｐを下流側（前記現像処理部３）に搬送する第一搬送系を備えている。該第一搬送系は、各構成間に配設されて印画紙Ｐを圧着搬送する複数のローラ対２４で構成されている。
【００４３】
前記一対のマガジン２０ａ，２０ｂは、露光処理部２内の下部で横方向に併設されており、一方のマガジン２０ａには、一方の面を内側（乳剤面を外側）に位置させるようにロール状にされた幅の狭い長尺な印画紙Ｐが軸回りに回転可能に収納され、他方のマガジン２０ｂには、一方の面を内側（乳剤面を外側）に位置させるようにロール状にされた幅の広い（例えば、幅の狭い印画紙Ｐの略二倍、又は略三倍の幅の）印画紙Ｐが軸回りに回転可能に収納されている。
【００４４】
前記切断装置２１は、露光処理部２内の下部に配置された前記一対のマガジン２０ａ，２０ｂ間に位置して、前記一対のマガジン２０ａ，２０ｂのそれぞれの下流側に設けられている。該切断装置２１は、マガジン２０ａ，２０ｂから引き出された印画紙Ｐを切断すべく、互いに接離する一対のカッター２１０ａ，２１０ｂを備えている。
【００４５】
前記搬送装置２２は、前記切断装置２１の下流側（上方）に設けられている。該搬送装置２２は、搬送方向に対して直交方向に所定間隔を有し、上下方向に（切断装置２１から露光装置２３に向けて）配された一対のレール２２０と、該レール２２０に沿って移動する一対の搬送体２２１とで構成されている。
【００４６】
前記一対の搬送体２２１のそれぞれは、各レール２２０に摺動可能に設けられており、前記レール２２０の長手（上下）方向に対して直交方向で移動する横方向移動体（図示しない）を備えている。該横方向移動体は、印画紙Ｐを把持可能に構成されており、幅の狭い印画紙Ｐ（一方のマガジン２０ａから引き出され、切断装置２１で切断されて小判になった印画紙Ｐ：以下、小判印画紙Ｐｓという）を搬送する場合に、横方向に移動して先行する小判印画紙Ｐｓと、後続の小判印画紙Ｐｓの搬送系路を振り分け、これらの小判印画紙Ｐｓを搬送方向に対して直交する方向で並列状態にして搬送するようになっている。一方、幅の広い印画紙Ｐ（他方のマガジン２０ｂから引き出され、切断装置２１で切断されて大判になった印画紙Ｐ：以下、大判印画紙Ｐｂという）を搬送する際には、一対の搬送体２２１のそれぞれの横方向移動体で大判印画紙Ｐｂを把持して下流側に搬送するようになっている。本実施形態に係る写真処理装置は、大判印画紙Ｐｂが並列で搬送される小判印画紙Ｐｓの搬送軌道よりも広い領域（範囲）を通過するように設定されている。即ち、並列状態で搬送される小判印画紙Ｐｓが、大判印画紙Ｐｂの通過する搬送軌道内を通過するように設定されている。なお、以下の説明において、小判印画紙Ｐｓ及び大判印画紙Ｐｂの両者を表現する場合には、総称して単に印画紙Ｐということとする。
【００４７】
前記露光装置２３は、露光処理部２内の上部に設けられており、搬送中の印画紙Ｐの乳剤面を露光する露光ヘッド２３０と、該露光ヘッド２３０が印画紙Ｐの乳剤面を露光する露光領域を挟んで印画紙Ｐの搬送方向の上流側及び下流側（上下方向）のそれぞれに設けられた露光用搬送ローラ対２３１（一対の露光用搬送ローラ）とで構成されている。
【００４８】
前記露光ヘッド２３０は、ハロゲンランプ等からなる光源２３２と、該光源２３２に光ファイバー束２３３を介して接続された光シャッター２３４とで構成されており、該光シャッター２３４は、印画紙Ｐの搬送方向と直交したライン状をなし、搬送される印画紙Ｐ（小判印画紙Ｐｓ，大判印画紙Ｐｂ）の乳剤面と対向するように設けられている。
【００４９】
前記光シャッター２３４は、チタン酸ジルコン酸鉛にランタンを添加することにより得られる透光性電圧セラミックス、いわゆるＰＬＺＴで構成されており、該ＰＬＺＴは、所定レベルの電圧が印加されると光を透過させ得る状態となる一方、電圧の印加が停止されると光を遮断する性質を有している。つまり、光シャッター２３４は、読み込まれた画像データに基づいて、操作部１のＣＰＵ１４０から電圧の印加、及び印加の停止が指示され、光源２３２からの光の透過及び遮断が制御されて印画紙ＰにＲＧＢ各色の光を照射して露光し得るように構成されている。
【００５０】
前記露光用搬送ローラ対２３１のそれぞれは、露光中の印画紙Ｐを圧着した状態で下流側（現像処理部３）に向けて搬送するように構成されている。
【００５１】
なお、該写真処理装置は、印画紙Ｐ（写真）の管理情報を目視可能とすべく、印画紙Ｐの裏面側に文字や記号等を組み合わせた管理コードを印字する印字手段（図示しない）を有しており、本実施形態に係る印字手段は、露光処理後で且つ現像処理前に管理コードを印字できるように配置されている。該印字手段は、大判印画紙Ｐｂ及び小判印画紙Ｐｓの何れにおいても、搬送方向と直交する方向における略中央部分に、文字や記号を搬送方向に並べて印字するように構成されている。また、この印字が滲んだりすることのないように、本実施形態に係る印画紙Ｐには、乳剤面とは反対側の面にコーティングを施したものが採用される。
【００５２】
前記現像処理部３は、現像処理液が貯留される現像処理液槽３０と、該現像処理液槽３０内の現像処理液に対して印画紙Ｐを浸漬して引き上げる動作を繰り返すように、印画紙Ｐ（小判印画紙Ｐｓ、大判印画紙Ｐｂ）を搬送する現像処理部搬送系（搬送系：第二搬送系）３１とを備えている。
【００５３】
具体的に説明すると、現像処理液槽３０は、複数の液槽３００ａ，３００ｂ…が横並びに配置されることで構成されている。各液槽３００ａ，３００ｂ…には、印画紙Ｐに対して現像処理、漂白処理、定着処理、安定処理を行うための現像処理液が貯留されている。即ち、各液槽３００ａ，３００ｂ…には、上流側から順に現像液（ＣＤ）、漂白・定着液（ＢＦ）、安定液（ＳＴ）、洗浄液が貯留されている。なお、前記現像液は、アルカリ性の液であり、漂白・定着液及び安定液は、酸性の液である。
【００５４】
前記現像処理部搬送系３１は、現像処理液槽３０（各液槽３００ａ，３００ｂ…）の現像処理液（現像液、漂白・定着液、安定液、洗浄液）中で印画紙Ｐを搬送する液中搬送系３１０と、上流側から搬送されてくる印画紙Ｐ、即ち、露光処理部２から搬送されてきた印画紙Ｐ、又は各液槽３００ａ，３００ｂ…から引き上げられた印画紙Ｐを下流側で隣接する液槽３００ａ，３００ｂ…内に導きつつ搬送する外部搬送系３１１とで構成されている。
【００５５】
前記液中搬送系３１０は、複数のローラ対（採番しない）がＵ字状の搬送経路を形成するように所定間隔を有して配設されることで構成されている。これにより、液中搬送系３１０は、各液槽３００ａ，３００ｂ…内の現像処理液に対して印画紙Ｐを液中内に一旦浸漬した後に、引き上げるように搬送するようになっている。
【００５６】
外部搬送系３１１は、印画紙Ｐを圧着搬送する搬送ローラ対３１２，３１３を備えており、最上流の液槽３００ａの上流側、及び各液槽３００ａ，３００ｂ…間に配設されている。各外部搬送系３１１は、液槽３００ａ，３００ｂ…内の液面よりも上方に位置しており、上流側（露光処理部２又は上流側の液槽３００ａ，３００ｂ）から搬送されてくる印画紙Ｐを受け取り、下流側で隣接する液槽３００ａ，３００ｂ…内の現像処理液に向けて送り込むように構成されている。
【００５７】
より具体的に説明すると、図３に示す如く、最上流の液槽３００ａの上流側に配設された外部搬送系３１１は、露光処理部２から略水平方向に搬送されてきた印画紙Ｐの搬送方向を切り換え、該印画紙Ｐを下流側で隣接する最上流の液槽３００ａに導くプレート状のガイド体３１４を備えており、前記搬送ローラ対３１２，３１３は、ガイド体３１４で案内されている印画紙Ｐを下流側に向けて圧着搬送できるように配設されている。各液槽３００ａ，３００ｂ間に配設された外部搬送系３１１は、複数組（本実施形態においては二組）の搬送ローラ対３１２，３１３が、液槽３００ａ，３００ｂ…間を境界にして対称的に配置され、逆Ｕ字状の搬送経路を形成しており、液中搬送系３１０と共に連続したＳ字状の搬送経路を構成している。なお、本実施形態において、上流側の搬送ローラ対３１２の上流側、及び下流側の搬送ローラ対３１３の下流側には、プレート状のガイド体３１４が配設され、外部搬送系３１１を構成する搬送ローラ対３１２，３１３間には、逆Ｕ字状に湾曲した板状のガイド体３１４が配設されており、上流側から搬送されてくる（上流側の液槽３００ａ，３００ｂ…から引き上げられてくる）印画紙Ｐが逆Ｕ字状の搬送軌道をとるように、各ガイド体３１４で印画紙Ｐを案内しつつ、各搬送ローラ対３１２，３１３で圧着搬送できるようになっている。
【００５８】
各外部搬送系３１１を構成する各搬送ローラ３１２ａ，３１２ｂ，３１３ａ，３１３ｂは、外周面が弾性材（例えば、シリコンゴムやウレタンゴム）で構成されており、印画紙Ｐに対する圧着搬送性が高まるようになっている。また、各搬送ローラ３１２ａ，３１２ｂ，３１３ａ，３１３ｂは、小判印画紙Ｐｓにおける搬送方向に延びる一方の端縁部にのみに集中的な力（圧着力）を作用させるように形状設定されており、小判印画紙Ｐｓを面方向に姿勢変更させる姿勢変更手段として機能するように構成されている。即ち、各搬送ローラ３１２ａ，３１２ｂ，３１３ａ，３１３ｂは、図４に示す如く、軸心方向において外径が一定に形成されておらず、本実施形態においては、中央部から両端に向けて縮径して太鼓状に形成されている。なお、図４においては、搬送ローラ３１２ａ，３１２ｂ，３１３ａ，３１３ｂの中央部同士が接触した態様で示されているが、実際には、大径に設定された中央部に圧着力が集中的に作用した状態で表層を形成する弾性材が変形して、各搬送ローラ３１２ａ，３１２ｂ，３１３ａ，３１３ｂ同士が軸線方向に略線状或いは帯状に密着した態様となっている。
【００５９】
各搬送ローラ３１２ａ，３１２ｂ，３１３ａ，３１３ｂは、略中央に全周に亘って溝３２０（以下、この溝を第一溝という）が形成されており、大判印画紙Ｐｂの裏面（乳剤面とは反対側の面）に印字された管理コードを圧着するのを避けるように構成されている。また、第一溝３２０と当該搬送ローラ３１２ａ，３１２ｂ，３１３ａ，３１３ｂの両端との間にも、一対の溝３２１（以下、この溝を第二溝という）が全周に亘って形成されており、並列状態で搬送される各小判印画紙Ｐｓの裏面（乳剤面とは反対側の面）に印字された管理コードを圧着するのを避けるように構成されている。
【００６０】
これにより、露光処理部２で露光処理された印画紙Ｐは、現像処理部搬送系３１で搬送されることで、各液槽３００ａ，３００ｂ…の現像処理液への浸漬と現像処理液からの引き上げが繰り返されるようになっている。即ち、該現像処理部３は、印画紙Ｐが搬送ローラ対３１２，３１３…及び液中搬送系３１０のローラ対の配置（Ｓ字状の搬送経路）に沿って湾曲しつつ搬送方向を切り替え、該印画紙Ｐにおける現像処理液への浸漬と現像処理液からの引き上げがなされ、該印画紙Ｐの現像を行えるようになっている。
【００６１】
図１及び図２に戻り、前記乾燥処理部４は、現像処理部３から送られてきた印画紙Ｐを乾燥させる乾燥室４０と、該乾燥室４０内に熱風を送り出す熱風発生装置４１を収容した熱風発生装置収容部４２とに区画されている。前記乾燥室４０には、現像処理部３から送られてくる印画紙Ｐを受け取って下流側（回収部５）に向けて搬送する搬送系４３を備えたラックが着脱可能に内装されており、内部に印画紙Ｐが詰まった場合等にメンテナンス（詰まった印画紙Ｐの除去や清掃等）を行えるようになっている。
【００６２】
前記回収部５は、前記乾燥処理部４で乾燥処理された印画紙Ｐをサイズ毎に振り分ける前記振分装置５０と、該振分装置５０で振り分けた印画紙Ｐをオーダー毎に仕分ける仕分装置５１とで構成されている。
【００６３】
前記振分装置５０は、乾燥処理部４から搬送されてくる印画紙Ｐを振り分ける傾動可能な振分板５２を備えている。具体的には、搬送経路（乾燥処理部４）を通過した印画紙Ｐが小判印画紙Ｐｓであるか、大判印画紙Ｐｂであるかを上流側に配置されたセンサー（図示しない）が検知し、該検知結果に基づいて振分板５２の姿勢を変更させるようになっている。
【００６４】
センサーが小判印画紙Ｐｓを検知した場合には、振分板５２が略水平を維持し、小判印画紙Ｐｓの一方の面（ベース面）が振分板５２の上面を摺動した状態で下流側の前記仕分装置５１の後述するコンベア５４に向けて搬送される。
【００６５】
一方、センサーが大判印画紙Ｐｂを検知した場合には、振分板５２が傾動する。このように振分板５２の姿勢を変更させると、上流側（乾燥処理部４）から搬送されてきた大判印画紙Ｐｂの他方の面（乳剤面）が、傾動した振分板５２の下面に摺接し、大判印画紙Ｐｂの搬送経路が小判印画紙Ｐｓの搬送経路に比して下方に向けて切り替えられ、該大判印画紙Ｐｂが下流側に配置されたトレー５３に回収されるようになっている。
【００６６】
前記仕分装置５１は、小判印画紙Ｐｓの搬送方向に対して直交方向に移動する前記コンベア５４と、該コンベア５４によって運ばれてくる印画紙Ｐをオーダー毎に仕分ける仕分機構（図示しない）とで構成されている。
【００６７】
前記仕分機構は、上下方向に移動可能に配設された複数の受皿５５…を備えており、該受皿５５…が上下方向に移動することで、コンベア５４によって搬送されてくる小判印画紙Ｐｓを各受皿５５…にオーダー毎に振り分けるように構成されている。
【００６８】
次に、本実施形態にかかる写真処理装置の作動を説明する。該写真処理装置は、まずマガジン２０ａ，２０ｂに収容された印画紙Ｐが下流側に引き出され、切断装置２１（カッター２１０ａ，２１０ｂ）で所定サイズにカットされる。そして、カットされた印画紙が小判印画紙Ｐｓである場合には、搬送装置２２によって搬送経路が振り分けられ、各小判印画紙Ｐｓが並列状態で露光装置２３の露光領域に送り込まれて露光処理される。その一方で、カットされた印画紙Ｐが大判印画紙Ｐｂである場合には、搬送軌道（搬送中心）を変えることなくそのまま引き出し方向を維持しつつ露光装置２３の露光領域に送り込まれて露光処理される。その後、露光処理された印画紙Ｐ（小判印画紙Ｐｓ又は大判印画紙Ｐｂ）は、現像処理部３に送られ、各液槽３００ａ，３００ｂ…内の現像処理液に対する浸漬と引き上げとが繰り返されて現像処理が施される。
【００６９】
このように現像処理液から引き上げられた印画紙Ｐが再度現像処理液に浸漬される際（小判印画紙Ｐｓが外部搬送系３１１によって搬送される際）、搬送ローラ３１２ａ，３１２ｂ，３１３ａ，３１３ｂが中央部から両端に向けて外径が縮径して太鼓状に形成されているため、並列状態で搬送されている各小判印画紙Ｐｓの一方の端部（搬送ローラ３１２ａ，３１２ｂ，３１３ａ，３１３ｂの中央部側を通過する各小判印画紙Ｐｓの端部）に集中的に圧着作用が生じることになり、図５に示す如く、この偏荷重的な力の作用で小判印画紙Ｐｓの姿勢が、圧着力の生じにくい他方の端部側に傾きつつ下流側に搬送されることになる。即ち、搬送ローラ３１２ａ，３１２ｂ，３１３ａ，３１３ｂを太鼓状に形成することで、小判印画紙Ｐｓに対する圧着力が他方の端部側よりも一方の端部側の方が大きくなるので、小判印画紙Ｐｓの一方の端部側の搬送速度が他方の端部側よりもやや速くなり、小判印画紙Ｐｓは姿勢を傾けつつ下流側に搬送されることになる。
【００７０】
従って、本実施形態においては、各小判印画紙Ｐｓ同士は、先端側が互いに離間するように（ハの字を形成するように）下流側に搬送され、各搬送ローラ３１２ａ，３１２ｂ，３１３ａ，３１３ｂの外周面に対して小判印画紙Ｐｓの両端は、螺旋状に接触することになる。そうすると、後続の小判印画紙Ｐｓについても、搬送ローラ３１２ａ，３１２ｂ，３１３ａ，３１３ｂの外周面に対して螺旋状に接触することになるが、先行する小判印画紙Ｐｓの両端が通った軌跡と後続の小判印画紙Ｐｓの両端が通る軌跡とが常に同一の軌跡を取るのが防止される。このように小判印画紙Ｐの姿勢が搬送ローラ３１２ａ，３１２ｂの軸心に対して傾斜した状態となれば、液中搬送系３１０の搬送ローラ対に対しても、小判印画紙Ｐｓの両端は、螺旋状に接触し、先行する小判印画紙Ｐｓの両端が通った軌跡と後続の小判印画紙Ｐｓの両端が通る軌跡とが常に同一の軌跡を取るのが防止される。
【００７１】
これにより、仮に現像処理液に浸漬することで小判印画紙Ｐｓの裏面のコーティング材が溶け出して小判印画紙Ｐｓの両端に対応するように搬送ローラ３１２ａ，３１２ｂ，３１３ａ，３１３ｂに付着したとしても、従来の搬送ローラのように全周に亘って同一線上に付着乃至堆積することがなく、搬送ローラ３１２ａ，３１２ｂ，３１３ａ，３１３ｂの軸心方向に幅を有する帯状の領域Ｅに極めて薄く付着することになり、液中搬送系３１０及び外部搬送系３１１の何れにおいても、搬送ローラ３１２ａ，３１２ｂ，３１３ａ，３１３ｂの外周面に付着したコーティング材の単位面積あたりの堆積量が平均化されて少なくなる。
【００７２】
一方、大判印画紙Ｐｂが外部搬送系３１１によって搬送される際には、搬送ローラ３１２ａ，３１２ｂ，３１３ａ，３１３ｂの中央部、即ち、大判印画紙Ｐｂの管理コードを避けた中央部に集中的に圧着作用が生じることになり、小判印画紙Ｐｓを搬送する場合のように偏荷重的な力が作用せず、当該大判印画紙Ｐｂは、上流側と同じ姿勢で下流側の液槽３００ａ，３００ｂ…に向けて搬送されることになる。この際、大判印画紙Ｐｂは、小判印画紙Ｐｓの通過した領域を含んだ領域を通過することになるが、上述の如く、小判印画紙Ｐｓのコーティング材が搬送ローラ３１２ａ，３１２ｂ，３１３ａ，３１３ｂに付着していても堆積量が少ないため、大判印画紙Ｐｂに対する堆積物の付着量が抑制され、該大判印画紙Ｐｂの画像の品質の低下が防止されることになる。
【００７３】
そして、上述の如く、小判印画紙Ｐｓ又は大判印画紙Ｐｂに対する現像処理を終えると、小判印画紙Ｐｓ又は大判印画紙Ｐｂは、乾燥処理部４に向けて搬送されることになる。
【００７４】
図２に戻り、現像処理部３から乾燥処理部４に送り込まれた印画紙Ｐは、乾燥温度（所定の温度雰囲気）に保った乾燥室４０内を搬送系４３によって下流側に搬送されつつ乾燥処理が施される。この際、印画紙Ｐの乳剤面は、送風ダクト４４の熱風吹出口と対向しており、乳剤面に熱風が強制的に吹き付けられた状態となっており、搬送系４３を介して前記回収部５に到達するまでに、印画紙Ｐに付着した現像処理液の水分が蒸発して乾燥することになる。そして、露光・現像・乾燥処理が施された印画紙Ｐは、回収部５においてサイズ毎、或いはオーダー毎に仕分けられ、単一の印画紙Ｐに対する一連の処理が完了する。
【００７５】
以上のように、上記構成の写真処理装置によれば、現像処理部３における外部搬送系３１１の搬送ローラ３１２ａ，３１２ｂ，３１３ａ，３１３ｂが、小判印画紙Ｐｓを圧着するのに偏荷重的な力を生じさせるように形状設定されているので、搬送ローラ３１２ａ，３１２ｂ，３１３ａ，３１３ｂの外周面における単位面積あたりの付着物の堆積量を少なくすることができ、大判印画紙Ｐｂの搬送軌道内に小判印画紙Ｐｓの搬送軌道をとるようにしても、搬送ローラ３１２ａ，３１２ｂ，３１３ａ，３１３ｂに堆積した堆積物（搬送ローラ３１２ａ，３１２ｂ，３１３ａ，３１３ｂに付着した印画紙Ｐのコーティング材）が大判印画紙Ｐｂの画像品質を低下させるような態様で付着するのを防止することができる。これにより、小判印画紙Ｐｓ及び大判印画紙Ｐｂの何れに対しても高品質な画像を提供することができる。
【００７６】
また、搬送ローラ３１２ａ，３１２ｂ，３１３ａ，３１３ｂを太鼓状に形成するだけで、上述の如く、小判印画紙Ｐｓの姿勢を変更させることができるので、装置の構成が複雑化するのを抑えた上で、画像品質の低下を抑制することができる。
【００７７】
尚、本発明の現像処理装置は、上記実施形態に限定されるものではなく、本発明の要旨を逸脱しない範囲内において種々変更を加え得ることは勿論である。
【００７８】
即ち、上記実施形態において、外部搬送系３１１を構成する搬送ローラ３１２ａ，３１２ｂ，３１３ａ，３１３ｂを太鼓状に形成することで、現像処理部３における小判印画紙Ｐｓの姿勢を変更（変化）させる姿勢変更手段として機能するように構成し、搬送ローラ３１２ａ，３１２ｂ，３１３ａ，３１３ｂに対する付着物の堆積量を減らし、大判印画紙Ｐｂへの付着を低減するようにしたが、これに限定されるものではなく、例えば、図６に示す如く、該小判印画紙Ｐｓの一端部を圧着する部分を大径に設定した段付き棒状に搬送ローラ３１２ａ，３１２ｂ，３１３ａ，３１３ｂを形成して姿勢変更手段として機能するようにしてもよい。このようにしても、小判印画紙Ｐｓにおける搬送方向に延びる一端部に集中的な圧着作用が生じるので、図７に示す如く、小判印画紙Ｐｓの姿勢を傾けつつ搬送することができる。従って、上記実施形態と同様に、小判印画紙Ｐｓの両端が通過する軌跡は搬送ローラ３１２ａ，３１２ｂ，３１３ａ，３１３ｂの外周に対して螺旋状となり、その結果、小判印画紙Ｐｓのコーティング材が搬送ローラ３１２ａ，３１２ｂ，３１３ａ，３１３ｂに付着しても帯状の領域Ｅに極めて薄く堆積することになるため、堆積物（コーティング材）が大判印画紙Ｐｂに対して線状に付着（転写）するのを抑えることができ、大判印画紙Ｐｂの画像品質の低下を抑制することができる。
【００７９】
また、図８に示す如く、搬送ローラ３１２ａ，３１２ｂ，３１３ａ，３１３ｂの外径を中央部から両端に向けて拡径して鼓状に構成し、当該搬送ローラ３１２ａ，３１２ｂ，３１３ａ，３１３ｂを姿勢変更手段として機能するようにしてもよい。このようにすれば、小判印画紙Ｐｓを二枚並列で搬送することで、並列状態にある各小判印画紙Ｐｓの外側に位置する端部（搬送ローラ３１２ａ，３１２ｂ，３１３ａ，３１３ｂの両端側に位置する各小判印画紙Ｐｓの端部）に集中的な圧着作用が生じることになり、各小判印画紙Ｐｓは、図９に示す如く、搬送ローラ３１２ａ，３１２ｂ，３１３ａ，３１３ｂの中央よりに姿勢を傾けつつ下流側に搬送されることになる。従って、上記実施形態と同様に、小判印画紙Ｐｓの両端が通過する軌跡が搬送ローラ３１２ａ，３１２ｂ，３１３ａ，３１３ｂの外周に対して螺旋状となり、その結果、小判印画紙Ｐｓのコーティング材が搬送ローラ３１２ａ，３１２ｂ，３１３ａ，３１３ｂに付着しても帯状の領域Ｅに極めて薄く堆積することになるため、堆積物（コーティング材）が大判印画紙Ｐｂに対して線状に付着（転写）するのを抑えることができ、大判印画紙Ｐｂの画像品質の低下を抑制することができる。
【００８０】
上記実施形態において、小判印画紙Ｐｓを二枚並列で搬送するようにしたが、これに限定されるものではなく、例えば、小判印画紙Ｐｓを大判印画紙Ｐｂと同様に一列で搬送すようにしてもよい。この場合、一列で搬送される小判印画紙Ｐｓの何れか一端部に集中的な圧着作用が生じるように搬送ローラ３１２ａ，３１２ｂ，３１３ａ，３１３ｂの外周形状を設定すれば、小判印画紙Ｐｓの姿勢を傾けつつ下流側に搬送することができ、大判印画紙Ｐｂへの堆積物の付着を抑制することができる。
【００８１】
上記実施形態において、大判印画紙Ｐｂの中央部に圧着力を作用させ、当該大判印画紙Ｐｂの姿勢が傾くのを防止するようにしたが、これに限定されるものではなく、例えば、小判印画紙Ｐｓと同様に、大判印画紙Ｐｂの姿勢を傾かせつつ該大判印画紙Ｐｂを搬送するようにしてもよい。このようにしても、小判印画紙Ｐｓの両端が通過する領域が搬送ローラ３１２ａ，３１２ｂ，３１３ａ，３１３ｂの外周面に対して軸心方向に幅を有する帯状の領域Ｅとなるようにしていれば、当然に、大判印画紙Ｐｂに対する堆積物の付着を抑制することができ、大判印画紙Ｐｂの画像品質の低下を抑制することができる。
【００８２】
上記実施形態において、搬送ローラ対３１２，３１３を構成する何れの搬送ローラ３１２ａ，３１２ｂ，３１３ａ，３１３ｂも太鼓状に形成するようにしたが、これに限定されるものではなく、例えば、搬送ローラ対３１２，３１３の何れか一方の搬送ローラ３１２ａ，３１２ｂ，３１３ａ，３１３ｂを太鼓状、鼓状、或いは段付き棒状に構成し、他方の搬送ローラ３１２ａ，３１２ｂ，３１３ａ，３１３ｂを直円柱状に形成するようにしてもよい。このようにしても、一方の搬送ローラ３１２ａ，３１２ｂ，３１３ａ，３１３ｂの外周形状によって小判印画紙Ｐｓの何れか一方の端部に集中的な圧着力を作用させることができるので、上記実施形態と同様の作用、及び効果を奏することができる。
【００８３】
上記実施形態において、各外部搬送系３１１で搬送中の印画紙Ｐの姿勢を変更させるようにしたが、これに限定されるものではなく、例えば、最上流の液槽３００ａの上流側に配設された外部搬送系３１１のみ、或いは露光処理部２の第一搬送系で小判印画紙Ｐｓの姿勢を変更するようにしてもよい。即ち、小判印画紙Ｐｓが現像処理液に浸漬される前に予め姿勢変更させてから、現像処理部３での現像処理を行うようにすればよい。このようにしても、小判印画紙Ｐｓは、搬送方向と直交する方向の両端縁が、搬送ローラ３１２ａ，３１２ｂ，３１３ａ，３１３ｂの回転軸心に対して傾斜した状態で接触することになるので、溶出したコーティング材がローラ表面に付着したとしても、上記実施形態と同様の態様で付着することになり、上記実施形態と同様の効果を奏することになる。
【００８４】
また、第一搬送系及び外部搬送系のそれぞれで、搬送中の小判印画紙Ｐｓの姿勢を変更するようにしてもよい。このようにすれば、小判印画紙Ｐが下流側に搬送されるにつれて、搬送ローラ３１２ａ，３１２ｂ，３１３ａ，３１３ｂの回転軸心に対する小判印画紙Ｐｓの傾斜角度が大きくなるので、搬送ローラ３１２ａ，３１２ｂ，３１３ａ，３１３ｂの外周面に対して小判印画紙Ｐｓの両端が通過（接触）する領域がローラ軸心方向にさらに広くなる。これにより、搬送ローラ３１２ａ，３１２ｂ，３１３ａ，３１３ｂの外周面に対するコーティング材の付着密度がいっそう小さくなる（単位面積当たりの付着量が少なくなる）ので、大判の感光材料へのコーティング材の転写を抑制することができ、感光材料に形成された画像の品質を低下させるのを防止することができる。
【００８５】
上記実施形態において、搬送系（外部搬送系）を構成する搬送ローラ３１２ａ，３１２ｂ，３１３ａ，３１３ｂを小判印画紙Ｐｓの一方の端部に圧着力を集中的に作用させるように形成することで、現像処理液に浸漬される前に小判印画紙Ｐｓを面方向に姿勢変更させる姿勢変更手段として機能するように構成したが、これに限定されるものではなく、例えば、姿勢変更手段は、印画紙Ｐの搬送経路に沿って配設されるレールと、印画紙Ｐを把持可能に構成されると共に該レールに沿って移動可能に構成された搬送体とを備え、該搬送体がレールに対して傾動するように構成されたものであってもよい。また、姿勢変更手段は、一枚の小判印画紙Ｐｓの両端部を圧着する二組の無端ベルト対を備え、一方の組の無端ベルト対の回転速度を他方の組の無端ベルト対よりも高速で回転させるようにしたものであってもよい。これらの何れの姿勢変更手段であっても、小判印画紙Ｐｓの姿勢を変更することができるので、かかる姿勢変更手段を最上流の液槽３００ａの上流側に配設することで、外部搬送系３１１及び液中搬送系３１０の搬送ローラ３１２ａ，３１２ｂ，３１３ａ，３１３ｂの軸心に対して傾斜した状態となり、上記実施形態と同様に、単位面積当たりのコーティング材の付着堆積量を減らすことができる。
【００８６】
上記実施形態において、現像処理装置を写真処理装置の一構成としたが、これに限定されるものではなく、現像処理装置を単独の装置として構成するようにしても勿論よい。
【００８７】
上記実施形態において、裏面側にコーティングの施された印画紙Ｐを採用したが、これに限定されるものではなく、コーティングの施されていない印画紙Ｐであってもプリント処理できることは勿論のことである。
【図面の簡単な説明】
【００８８】
【図１】本発明の一実施形態に係る写真処理装置の全体斜視図を示す。
【図２】同実施形態に係る写真処理装置の全体概念図を示す。
【図３】同実施形態に係る写真処理装置の現像処理部内に設けられた外部搬送系の概略構成図を示す。
【図４】同実施形態に係る外部搬送系を構成する搬送ローラ対の正面図を示す。
【図５】同実施形態に係る外部搬送系（搬送ローラ対）で印画紙を搬送する際の状況を説明する説明図を示す。
【図６】他実施形態に係る外部搬送系を構成する搬送ローラ対の正面図を示す。
【図７】他実施形態に係る外部搬送系（搬送ローラ対）で印画紙を搬送する際の状況を説明する説明図を示す。
【図８】別の実施形態に係る外部搬送系を構成する搬送ローラ対の正面図を示す。
【図９】別の実施形態に係る外部搬送系（搬送ローラ対）で印画紙を搬送する際の状況を説明する説明図を示す。
【符号の説明】
【００８９】
１…操作部、２…露光処理部、３…現像処理部、４…乾燥処理部、５…回収部、１０…モニター、１１…入力装置、１２…読込装置、１３…スキャナー装置、１４…コンピュータ本体、２０ａ，２０ｂ…マガジン、２１…切断装置、２２…搬送装置、２３…露光装置、２４…ローラ対、３０…現像処理液槽、３１…現像処理部搬送系（搬送系）、４０…乾燥室、４１…熱風発生装置、４２…熱風発生装置収容部、４３…搬送系、４４…送風ダクト、５０…振分装置、５１…仕分装置、５２…振分板、５３…トレー、５４…コンベア、５５…受皿、１１０…キーボード、１１１…マウス、１４０…ＣＰＵ、１４１…ＲＯＭ、１４２…ＲＡＭ、１４３…Ｉ／Ｏインターフェイス、２１０ａ，２１０ｂ…カッター、２２０…レール、２２１…搬送体、２３０…露光ヘッド、２３１…露光用搬送ローラ対、２３２…光源、２３３…光ファイバー束、２３４…光シャッター、３００ａ，３００ｂ…液槽、３１０…液中搬送系、３１１…外部搬送系、３１２，３１３…搬送ローラ対、３１２ａ，３１２ｂ，３１３ａ，３１３ｂ…搬送ローラ（姿勢変更手段）、３１４…ガイド体、３２０…第一溝（溝）、３２１…第二溝（溝）、Ｍ…メディア、Ｐ…小判印画紙,大判印画紙（印画紙：感光材料）
【図１】
2005338692.tif 000003
【図２】
2005338692.tif 000004
【図３】
2005338692.tif 000005
【図４】
2005338692.tif 000006
【図５】
2005338692.tif 000007
【図６】
2005338692.tif 000008
【図７】
2005338692.tif 000009
【図８】
2005338692.tif 000010
【図９】
2005338692.tif 000011